(57)【要約】      （修正有）【課題】世界諸国の電源コンセント仕様規格にそれぞれ適用でき、操作や変換の容易性、携帯便利性、及び安全性を向上できる多国用アダプタを提供する。【解決手段】前面カバー２、本体３、背面カバー４とを含む多国用アダプタ構造１において、前記前面カバー２には第１の貫通孔２１と第２の貫通孔２２とを有しており、本体３には押圧ユニット３１と第１の電気接続ユニット３２と第２の電気接続ユニット３３とが設けられており、押圧ユニット３１と本体３との間には少なくとも１つの弾性部材３１１が設けられており、第１の電気接続ユニット３２は押圧ユニット３１に設けられると共に第１の差込端子３２２を備えており、第２の電気接続ユニット３３は押圧ユニット３１に設けられると共に第２の差込端子３３２を備えている。押圧ユニット３１を押し付ければ、第１の電気接続ユニット３２又は第２の電気接続ユニット３３を選択的に移動できる。【選択図】図２
2020098670.tif 000002
【特許請求の範囲】
【請求項１】
前面カバーと、本体と、前記前面カバーに組み立てられるにより前記本体を覆う背面カバーとを備える多国用アダプタにおいて、
前記前面カバーには、少なくとも１つの第１の貫通孔と少なくとも１つの第２の貫通孔とを有しており、
前記本体には、押圧ユニットと第１の電気接続ユニットと第２の電気接続ユニットとが設けられており、
前記押圧ユニットと前記本体との間には、少なくとも１つの弾性部材を有しており、
前記押圧ユニットの側方には、少なくとも１つの第１の支持部材および少なくとも１つの第２の支持部材が設けられており、
前記本体の側方には、導電ユニットが設けられており、
前記第１の電気接続ユニットは、前記第１の支持部材に設けられていると共に、第１のプッシュ部材と少なくとも1つの第１の差込端子と少なくとも1つの第１の導通片とを備えており、
前記第２の電気接続ユニットは、前記第２の支持部材に設けられていると共に、第２のプッシュ部材と少なくとも１つの第２の差込端子とを備えており、
前記導電ユニットは、前記前面カバー内に対向して設けられている、
前記背面カバーは、前記前面カバーの側面に組設けると共に、前記前面カバーとの組立てにより前記本体を覆うことができる、
ことを特徴とする多国用アダプタ構造。
【請求項２】
前記前面カバーの側面には、第１の案内溝と、第２の案内溝と、受容溝とをそれぞれ有しており、
前記第１のプッシュ部材は、前記第１の案内溝上に対向して設けられており、
前記第２のプッシュ部材は、前記第２の案内溝上に対向して設けられており、
前記受容溝の内部には、前部補助差込部材が設けられている、ことを特徴とする請求項１に記載の多国用アダプタ構造。
【請求項３】
前記第１のプッシュ部材は、前記第１の案内溝を移動することができると共に、その移動に伴って、前記第１の電気接続ユニットを前記本体に移動させることができ、
前記第１の差込端子は、前記第１の貫通孔を挿通することが可能であり、
前記第一導通片は、前記導電ユニットの少なくとも１つの前記導通片受けに係合する、ことを特徴とする請求項２に記載の多国用アダプタ構造。
【請求項４】
前記第２のプッシュ部材は、前記第２の案内溝を移動することができると共に、その移動に伴って、前記第２の電気接続ユニットを前記本体に移動させることができ、
前記第２の差込端子は、前記第２の貫通孔を挿通することが可能である、ことを特徴とする請求項２に記載の多国用アダプタ構造。
【請求項５】
前記第１の支持部材は、第１の前部案内溝と、第１の後部案内溝とを有しており、
前記第１の電気接続ユニットの下側の箇所には、少なくとも１つの第１の当接部が設けられており、
前記第１の当接部は、前記第１の前部案内溝内に設けられている、ことを特徴とする請求項３に記載の多国用アダプタ構造。
【請求項６】
前記押圧ユニットが前記弾性部材を押し付けると、前記第１の当接部は前記第１の前部案内溝から外れ、前記第１の電気接続ユニットを前記本体に移動させ、同時に、前記第１の当接部は、前記第１の後部案内溝内に移動し、前記弾性部材を解放させ、前記第１の後部案内溝にて前記第１の当接部の位置規制されることを特徴とする請求項５に記載の多国用アダプタ構造。
【請求項７】
前記第２の支持部材は、第２の前部案内溝と、第２の後部案内溝とを有しており、
前記第２の電気接続ユニットの下側の箇所には、第２の当接部が設けられており、
前記第２の当接部は、前記第２の前部案内溝内に設けられている、ことを特徴とする請求項４に記載の多国用アダプタ構造。
【請求項８】
前記押圧ユニットが前記弾性部材を押し付けると、前記第２の当接部が前記第２の前部案内溝から外れ、前記第２の電気接続ユニットを前記本体に移動させ、同時に、前記第２の当接部は、前記第２の後部案内溝内に移動し、前記弾性部材を解放させ、前記第２の後部案内溝にて前記第２の当接部の位置が規制されることを特徴とする請求項７に記載の多国用アダプタ構造。
【請求項９】
前記本体の側方には、さらに、少なくとも１つのサイドストッパが設けられている、ことを特徴とする請求項１に記載の多国用アダプタ構造。
【請求項１０】
前記第２の電気接続ユニットには、少なくとも１つの後部補助差込部材が別に設けられており、
各前記第２の差込端子には、それぞれ延在差込端子が設けられている、ことを特徴とする請求項１に記載の多国用アダプタ構造。
【請求項１１】
前記前面カバーの背面カバーに対向する他方の側には中継コネクタが設けられており、
前記中継コネクタには、少なくとも一つの中継貫通孔を有しており、
前記第２の差込端子は、前記中継貫通孔内に設けられており、
前記延在差込端子は、前記中継貫通孔を挿通する、ことを特徴とする請求項１０に記載の多国用アダプタ構造。
【請求項１２】
前記本体には、少なくとも１つの電気継手が設けられており、
前記電気継手は、前記背面カバーの少なくとも１つの継手貫通孔に連通しており、
前記電気継手は、前記導電ユニットに電気的に接続されている、ことを特徴とする請求項１に記載の多国用アダプタ構造。
【発明の詳細な説明】
【技術分野】
【０００１】
本発明は、アダプタに関し、特に、世界諸国の電源コンセント仕様規格に適用する上に、操作や変換の容易性、携帯便利性、及び安全性を向上させる多国用アダプタ構造に関する。
【背景技術】
【０００２】
社会経済の持続的な発展に伴い、海外旅行や出張などの活動がますます頻繁に行われてきたため、通信機器や家電電化製品、例えばノートパソコンや携帯電話、MP３などを持ち運ぶことが数多い。しかし、例えば、アメリカ、イギリス、オーストリヤ、ヨーロッパ等の諸国にて利用したいとする場合、その国の電気規格に相応しい電源アダプタが持っていないときは、その通信機器や電化製品を使えできなくなった問題が多発してしまった。
かかる利用できない問題を解消するため、従来は、諸国の差込みプラグ、電源コンセントの仕様規格に相応しく適用できる電源アダプタを提供していたが、このような電源アダプタはこれに伴って体積サイズがより大きくなったり、携帯に不便を招来したりする場合がある。
なお、現在の電源アダプタの入力部において差込プラグは、折りたたみ可能な仕組みにするが、それを取り出しを容易にするため、一部がコンセントから外部に露出するのが一般的である。
しかし、このような差込プラグを使用する際に、一部の露出により衝突変形を招来する他に、ひいて、コンセントの仕様サイズや差込み穴の間隔に合せるためには電源アダプタを解体することも必要になったり、操作上の不便や使用上の困難をユーザに引き起こったりすることが数多い。特に、電源アダプタは導電体であるため、一旦使用者がそれを誤動作すると、安全上の欠点や問題点を引き起こす恐れもある。
【０００３】
そのため、前記欠点や問題点を改善するにはどのようにすればいいかは、本願発明者が解決しようとする技術的な困難点の所存である。
【発明の概要】
【発明が解決しようとする課題】
【０００４】
そこで、前記問題を効果的に解決するため、本発明は、世界諸国の電源コンセント仕様規格にそれぞれ適合するように操作や変換の容易性、携帯便利性、及び安全性を向上する多国用アダプタ構造を提供することを主な目的とする。
【課題を解決するための手段】
【０００５】
前記目的を達成するため、本発明は、前面カバーと、本体と、前記前面カバーに組み立てられるにより前記本体を覆う背面カバーとを含む多国用アダプタ構造において、前記前面カバーには貫通する少なくとも１つの第１の貫通孔と少なくとも１つの第２の貫通孔とが形成されており、その上方側には押圧ユニットと第１の電気接続ユニットと第２の電気接続ユニットとが設けられており、側方には導電ユニットが設けられており、前記押圧ユニットと前記本体との間には少なくとも１つの弾性部材が設けられており、前記弾性部材は一端が前記本体に当接しており、他端が前記押圧ユニットに当接しており、前記押圧ユニットの前記第１の電気接続ユニットおよび前記第２の電気接続ユニットに対向する側には少なくとも１つの第１の支持部材および少なくとも１つの第２の支持部材が形成されており、前記第１の電気接続ユニットは前記第１の支持部材に設けられるとともに、第１のプッシュ部材と少なくとも1つの第１の差込端子と少なくとも1つの第１の導通片とを備えており、前記第２の電気接続ユニットは前記第２の支持部材に設けられるとともに、第２のプッシュ部材と少なくとも１つの第２の差込端子とを備えており、前記前面カバーの側方に設けられた本体と、前記前面カバーの側方に組み立てられ、前記前面カバーとともに前記本体を覆う背面カバーとを含む多国用アダプタ構造を提供する。よって、前記押圧ユニットの押し付けによれば、前記第１の電気接続ユニット又は前記第２の電気接続ユニットを解放し、さらに、国別の仕様の違いに応じて前記第１の電気接続ユニット又は前記第２の電気接続ユニットを選択的に移動させ、前記第１の電気接続ユニット又は前記第２の電気接続ユニットの第１の差込端子又は第２の差込端子を前記前面カバーに貫通突出させ電気的に接続することで、世界諸国の電源コンセント仕様規格にそれぞれ適合することができると共に、操作や変換の容易性、携帯便利性、及び安全性を向上させる効果に達することができる。
【図面の簡単な説明】
【０００６】
【図１】本発明に係る好ましい実施例を模式的に示す組立斜視図である。
【図２】本発明に係る好ましい実施例を模式的に示す分解斜視図である。
【図３】本発明に係る好ましい実施例を模式的に示す別の角度での部分断面図である。
【図４】本発明に係る押圧ユニットによる押さえを模式的に示す図である。
【図５】本発明に係る第１の電気接続ユニットを模式的に示す図（一）である。
【図６】本発明に係る第１の電気接続ユニットを模式的に示す部分断面図（一）である。
【図７】本発明に係る第１の電気接続ユニットを模式的に示す別の角度での部分断面図である。
【図８】本発明に係る第１の電気接続ユニットを模式的に示す図（二）である。
【図９】本発明に係る第１の電気接続ユニットを模式的示す部分断面図（二）である。
【図１０】本発明に係る第２の電気接続ユニットを模式的に示す図（一）である。
【図１１】本発明に係る第２の電気接続ユニットを模式的に示す部分断面図（一）である。
【図１２】本発明に係る第２の電気接続ユニットを模式的に示す別の角度での部分断面図（一）である。
【図１３】本発明に係る第２の電気接続ユニットを模式的に示す図（二）である。
【図１４】本発明に係る第２の電気接続ユニットを模式的に示す部分断面図（二）である。
【図１５】本発明に係る第２の電気接続ユニットを模式的に示す図（三）である。
【図１６】本発明に係る第２の電気接続ユニットを模式的に示す部分断面図（三）である。
【発明を実施するための形態】
【０００７】
図１〜図３は、本発明に係る好ましい実施例を模式的に示す組立斜視図、分解斜視図、及び別の角度での部分断面図である。図面から明らかのように、前記多国用アダプタ構造１は、前面カバー２と、本体３と、背面カバー４とを含んでいる。前面カバー２には少なくとも１つの第１の貫通孔２１および少なくとも１つの第２の貫通孔２２が形成されている。第１の貫通孔２１および第２の貫通孔２２は、前記前面カバー２を貫通する。また、前面カバー２は、その側面に第１の案内溝２３と第２の案内溝２４と受容溝２５とがそれぞれ形成されている。第１の案内溝２３と第２の案内溝２４とは前面カバー２の上面および側面にそれぞれ形成しており、受容溝２５は前面カバー２の側面に形成すると共にその内部に前部補助差込部材２５１が設けられている。
【０００８】
また、本体３は、前記前面カバー２の受容溝２５に対向する他の側方に設けられる。本体３の上方には押圧ユニット３１と第１の電気接続ユニット３２と第２の電気接続ユニット３３とが設けられ、さらに、側方に導電ユニット３４が設けられ、本体３の側方および底部に、少なくとも１つのサイドストッパ３５及び少なくとも１つの電気継手３６が設けられる。押圧ユニット３１と本体３との間には、少なくとも１つの弾性部材３１１が配置されている。弾性部材３１１は、一端が前記本体３に当接するとともに、他端が前記押圧ユニット３１に当接している。
【０００９】
さらに、押圧ユニット３１の側方には、少なくとも１つの第１の支持部材３１２および少なくとも１つの第２の支持部材３１５を備えている。第１の支持部材３１２は、第１の前部案内溝３１３および第１の後部案内溝３１４を有している。第２の支持部材３１５は、第２の前部案内溝３１６および第２の後部案内溝３１７を有している。
【００１０】
また、ここで、第１の電気接続ユニット３２は、前記第１の支持部材３１２に設けられると共に、第１のプッシュ部材３２１と少なくとも１つの第１の差込端子３２２と少なくとも１つの第１の導通片３２３とを備えている。第１のプッシュ部材３２１は、第１の案内溝２３上に対向して設けられている。さらに第１の電気接続ユニット３２の下側の箇所には、少なくとも１つの第１の当接部３２４が設けられている。第１の当接部３２４は、第１の前部案内溝３１３内に設けられている。
【００１１】
さらに、第２の電気接続ユニット３３は、第２の支持部材３１５に設けられていると共に、第２のプッシュ部材３３１と少なくとも１つの第２の差込端子３３２とを備えている。第２のプッシュ部材３３１は、前記第２の案内溝２４の上方に対向して設けられている。さらに第２の電気接続ユニット３３の下側の箇所に第２の当接部３３４が設けられている。第２の当接部３３４は、第２の前部案内溝３１６内に設けられている。さらに、第２の電気接続ユニット３３には少なくとも１つの後部補助差込部材３３５が設けられている。また、第２の差込端子３３２のそれぞれには延在差込端子３３３が設けられている。
【００１２】
また、導電ユニット３４には少なくとも１つの導通片受け３４１が設けられている。導電ユニット３４は電気継手３６に電気的に接続されている。
【００１３】
さらに、背面カバー４には、前記電気継手３６を連通するための少なくとも１つの継手貫通孔４１が設けられている。背面カバー４は、前面カバー２の側方に組み立てられて前面カバー２と共に本体３を覆うように構成されている。
【００１４】
また、図４〜７を参照する。それらは、本発明に係る押圧ユニットによる押さえを模式的に示す図、第１の電気接続ユニットを模式的に示す図（一）、部分断面図（一）、及び、別の角度での部分断面図である。ここで、多国用アダプタ構造１は、異なる国での異なる仕様に応じて操作や変換をすることができる。
多国用アダプタ構造１がアメリカの電源コンセント仕様規格に合せて使用されたい場合、まず押圧ユニット３１が弾性部材３１１を押し付けるように前記押圧ユニット３１を押すと、第１の電気接続ユニット３２の第１の当接部３２４が第１の前部案内溝３１３から外れ、第１のプッシュ部材３２１を第１の案内溝２３へ移動させる。この移動に伴って、第１の電気接続ユニット３２を本体３に移動させるように第１のプッシュ部材３２１を押すことができる。
また、第１の差込端子３２２は、第１の貫通孔２１を挿通することが可能である。第一導通片３２３は前記導通片受け３４１に係合して電気的に接続されると同時に、第１の当接部３２４は第１の後部案内溝３１４内に移動し、前記押圧ユニット３１を解放させる。そして、押圧ユニット３１を元の位置に復帰するように弾性部材３１１の付勢力に押し付けられ、第１の後部案内溝３１４に第１の当接部３２４が位置規制される。第１の差込端子３２２を前面カバー２から固定的に突出させると、多国用アダプタ構造１をアメリカの電源コンセント仕様規格に利用することができ、ユーザは、背面カバー４の電気継手３６を介して電気的に接続する目的を果たすことができる。
なお、この実施形態において、第１の電気接続ユニット３２を本体３に移動させた場合、第２の電気接続ユニット３３は、そのサイドストッパ３５に規制されるため、移動されることができなくなる。
【００１５】
また、図４〜図７を見ながら図８及び図９を参照する。それらは、本発明に係る第１の電気接続ユニットを模式的に示す図（二）、及び部分断面図である。第１の差込端子３２２は前面カバー２から固定的に突出する状態で、第１の差込端子３２２をそれぞれ内側に回動させられることができる。このように回動きをすると、その二つの第１の差込端子３２２を「八」の形状にするように傾けることが可能である。そして、二つの第１の差込端子３２２の傾斜により、多国用アダプタ構造１は、オーストラリアの電源コンセント仕様規格に合せて適用することが可能になる。
【００１６】
また、第４および図１０〜図１４を参照する。それらは、本発明に係る押圧ユニットによる押さえを模式的に示す図、第２の電気接続ユニットの模式的な図（一）、及び、別の角度での部分断面図（一）である。ここで、多国用アダプタ構造１は、諸国の電源コンセント仕様規格に応じて操作や変換することができる。
多国用アダプタ構造１がスイスでの電源コンセント仕様規格に合せて使用されたい場合、まず押圧ユニット３１が弾性部材３１１を押し付けるように前記押圧ユニット３１を押すと、第２の電気接続ユニット３３の第２の当接部３３４が第２の前部案内溝３１６から外れ、第２のプッシュ部材３３１を第２の案内溝２４へ移動させる。この移動に伴って、第２の電気接続ユニット３３を本体３に移動させるように第２のプッシュ部材３３１を押すことができる。
また、第２の差込端子３３２は、第２の貫通孔２２を挿通することができる。第２の当接部３３４は、第２の後部案内溝３１７内に移動し、前記押圧ユニット３１を解放させる。そして、押圧ユニット３１を元の位置に復帰するように弾性部材３１１の付勢力に押し付けられ、第２の後部案内溝３１７に第２の当接部３３４が位置規制され、第２の差込端子３３２を前面カバー２から固定的に突出させせると、多国用アダプタ構造１をスイスの電源コンセント仕様規格に合せて利用することができる上に、ユーザは、背面カバー４の電気継手３６を介して電気的に接続する目的を果たすことができる。なお、本実施例では、第１の電気接続ユニット３２を本体に移動させた後、第２の電気接続ユニット３３がそのサイドストッパ３５に規制されて移動することができなくなる。
【００１７】
また、第４及び図１０〜図１２を見ながら、図１３及び図１４を参照する。それらは、本発明に係る第２の電気接続ユニットの模式的な図（二）、及び、部分断面図（二）である。先ず、第２の差込端子３３２前面カバー２から固定的に突出する状態で、その先端を、後部補助差込部材３３５を水平にするように、第２の差込端子３３２の一側の縁にまで取り出した。そして、第２の差込端子３３２と後部補助差込部材３３５とが前面カバー２から固定的に突出する状態で、受容溝２５内に設けられた前部補助差込部材２５１の先端を、その前部補助差込部材２５１を水平にすると共に、前面カバー２に突出するように取出せれば、多国用アダプタ構造１をオーストラリアでの電源コンセント仕様規格に合せて適用することができる。
【００１８】
また、図１５および図１６を参照する。それらは、本発明に係る第２の電気接続ユニットを模式的に示す図（三）、および部分断面図（三）である。ここで、多国用アダプタ構造１は、諸国の電源コンセント仕様規格に応じて操作や変換することができる。
多国用アダプタ構造１がドイツでの電源コンセント仕様規格に合せて使用されたい場合、まず第２の差込端子３３２を前面カバー２から固定的に突出させ、そして中継コネクタ５で組み立て接続する。中継コネクタ５には、少なくとも一つの中継貫通孔５１を有している。第２の差込端子３３２は前記中継貫通孔５１内に設けられている。延在差込端子３３３は、中継貫通孔５１を挿通して前記中継貫通孔５１から突出すれば、多国用アダプタ構造１をドイツの電源コンセント仕様規格に合せて利用することができる。
したがって、多国用アダプタ構造１は、その押圧ユニット３１の押しにより、さらに第１の電気接続ユニット３２又は第２の電気接続ユニット３３を前、後に移動させるように制御し、第１の差込端子３２２または第２の差込端子３３２を突出させ電気接続することで、世界諸国の電源コンセント仕様規格にそれぞれ適合するように操作や変換しやすくなり、しかも携帯便利性や安全性を向上する効果を奏する。
【００１９】
なお、以上のような説明は、本発明の好ましい実施例にすぎず、本発明を限定するものではない。本発明の主旨を逸脱しない限り、本発明の構想に対する変更、例えば、形状または配置への変換などの様々な変化、修飾応用及びそれにより発生した等価の効果は、すべて本願の主張範囲内に納入されるべきである。
【符号の説明】
【００２０】
１            多国用アダプタ構造
２            前面カバー
２１          第１の貫通孔 
２２          第２の貫通孔
２３          第１の案内溝
２４          第２の案内溝
２５          受容溝 
２５１        前部補助差込部材
３            本体
３１          押圧ユニット
３１１        弾性部材
３１２        第１の支持部材 
３１３        第１の前部案内溝
３１４        第１の後部案内溝
３１５        第２の支持部材
３１６        第２の前部案内溝
３１７        第２の後部案内溝
３２          第１の電気接続ユニット
３２１        第１のプッシュ部材
３２２        第１の差込端子
３２３        第１の導通片
３２４        第１の当接部
３３          第２の電気接続ユニット
３３１        第２のプッシュ部材
３３２        第２の差込端子 
３３３        延在差込端子
３３４        第２の当接部
３３５        後部補助差込部材
３４          導電ユニット
３４１        導通片受け
３５          サイドストッパ
３６          電気継手
４            背面カバー
４１          継手貫通孔
５            中継コネクタ
５１          中継貫通孔
【図１】
2020098670.tif 000003
【図２】
2020098670.tif 000004
【図３】
2020098670.tif 000005
【図４】
2020098670.tif 000006
【図５】
2020098670.tif 000007
【図６】
2020098670.tif 000008
【図７】
2020098670.tif 000009
【図８】
2020098670.tif 000010
【図９】
2020098670.tif 000011
【図１０】
2020098670.tif 000012
【図１１】
2020098670.tif 000013
【図１２】
2020098670.tif 000014
【図１３】
2020098670.tif 000015
【図１４】
2020098670.tif 000016
【図１５】
2020098670.tif 000017
【図１６】
2020098670.tif 000018
【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
前面カバーと、前記前面カバーに組み立てられる背面カバーと、前記前面カバーと前記後面カバーとの組み立てにより形成された内部空間に収納される本体と、を備えるユニバーサルアダプタにおいて、
前記前面カバーには、外側の表面に形成された２つの第１の貫通孔と２つの第２の貫通孔と、上方側の面に形成された第１の案内溝と、右方側の面に形成された第２の案内溝と、前方側の面に形成された浅いピットと、前記浅いピットの上方に設けられた第１の補助差込部材とを備えており、
前記本体には、上方側に設けられた押圧ユニットと、前記押圧ユニットの下方に設けられた２つの弾性部材と、前面に設けられた第１の電気接続ユニットと、前記第１の電気接続ユニットの下方に設けられた第２の電気接続ユニットとを備えており、
前記押圧ユニットには、前方に延伸すると共に第１の前部案内溝と第１の後部案内溝とを備える第１の支持部材と、前方に延伸すると共に前記第１の支持部材に平行するように設置された、第２の前部案内溝と第２の後部案内溝とを有する第２の支持部材とを備えており、
前記第１の電気接続ユニットは、前記第１の支持部材に設けられていると共に、前記第１の案内溝に沿って移動できる第１のプッシュ部材と前記第１の貫通孔を挿通するように設けられた第１の差込端子と第１の導通片と、第１の当接部とを備えており、
前記第２の電気接続ユニットは、前記第２の支持部材に設けられていると共に前記第２の案内溝に沿って移動できる第２のプッシュ部材と、前記第２の貫通孔を挿通するように設けられたと共に内部に収蔵されるか若しくは外部に向け延伸して取り出されるように配置されている延在差込端子を有する第２の差込端子と、第２の当接部とを備えており、
前記背面カバーは、前記本体を覆うするように前記前面カバーの側面に係合して組立られており、
前記第１の差込端子を使用したいとする際に、前記押圧ユニットを押し付けて前記第１の当接部を前記第１の前部案内溝から外れて、前記第１のブッシュ部材を前記第１の案内溝に前方に前進するように移動させることに伴って前記第１の差込端子が前記第１の貫通孔を通過すると、このユニバーサルアダプタが使用できる状態になり、これに対し、前記第１の差込端子を収納したいとする際に、前記第１のブッシュ部材を前記第１の案内溝に後方に戻すように移動させることに伴って前記第１の差込端子が前記第１の貫通孔を通過して戻ると、このユニバーサルアダプタが収納できる状態になり、
前記第２の差込端子を使用したいとする際に、前記第２のブッシュ部材を前記第２の案内溝に前方に前進するように移動させることに伴って前記第２の差込端子が前記第２の貫通孔を通過すると、このユニバーサルアダプタが使用できる状態になり、これに対し、前記第２の差込端子を収納したいとする際に、前記第２のブッシュ部材を前記第２の案内溝に後方に戻すように移動させることに伴って前記第２の差込端子が前記第２の貫通孔を通過して戻ると、このユニバーサルアダプタが収納できる状態になり、
前記第１の補助差込部材を使用したいとする際に、前記浅いピットを介して指で第１の補助差込部材を取り出すとすればよく、これに対し、前記第１の補助差込部材を収納したいとする際に、前記浅いピットを介して前記第１の補助差込部材を戻すように押込ませればよく、
これにより、世界各国インターナショナルの適用のため、前記第１の差込端子のみで使用されるか、前記第２の差込端子のみで使用されるか、前記第１の差込端子と前記第１の補助差込部材との組合せで使用されるか、若しくは、前記第２の差込端子と前記第１の補助差込部材との組合せで使用されることが可能になる、
ことを特徴とするユニバーサルアダプタ構造。
【請求項２】
前記押圧ユニットが前記弾性部材を押し付けると、前記第１の当接部は前記第１の前部案内溝から外れ、前記第１の電気接続ユニットを前記本体に移動させ、同時に、前記第１の当接部は、前記第１の後部案内溝内に移動し、前記弾性部材を解放させ、前記第１の後部案内溝にて前記第１の当接部の位置規制されることを特徴とする請求項５に記載のユニバーサルアダプタ構造。
【請求項３】
前記第２の当接部は、前記第２の前部案内溝内に設けられている、ことを特徴とする請求項１に記載のユニバーサルアダプタ構造。
【請求項４】
前記押圧ユニットが前記弾性部材を押し付けると、前記第２の当接部が前記第２の前部案内溝から外れ、前記第２の電気接続ユニットにおける第１のプッシュ部材を前記第１の案内溝に移動させ、同時に、前記第２の当接部は、前記第２の後部案内溝内に移動し、前記弾性部材を解放させ、前記第２の後部案内溝にて前記第２の当接部の位置が規制されることを特徴とする請求項１に記載のユニバーサルアダプタ構造。
【請求項５】
前記本体には、さらに、左側に設けられる１つのサイドストッパと、右側に設けら設けらる１つのサイドストッパとを備える、ことを特徴とする請求項１に記載のユニバーサルアダプタ構造。
【請求項６】
更に、前記前面カバーの外側の表面に取り付けられる、２つの中継貫通孔を有する中継コネクタが設けられており、
前記延在差込端子は、前記中継貫通孔を挿通するように設置されている、ことを特徴とする請求項１に記載のユニバーサルアダプタ構造。
【請求項７】
前記本体には、少なくとも１つの電気継手が設けられており、
前記電気継手は、前記背面カバーの少なくとも１つの継手貫通孔に連通しており、
前記電気継手は、前記導電ユニットに電気的に接続されている、ことを特徴とする請求項１に記載のユニバーサルアダプタ構造。
【手続補正２】
【補正対象書類名】明細書
【補正対象項目名】全文
【補正方法】変更
【補正の内容】
【発明の詳細な説明】
【技術分野】
【０００１】
本発明は、アダプタに関し、特に、世界諸国の電源コンセント仕様規格に適用する上に、操作や変換の容易性、携帯便利性、及び安全性を向上させるユニバーサルアダプタ構造に関する。
【背景技術】
【０００２】
社会経済の持続的な発展に伴い、海外旅行や出張などの活動がますます頻繁に行われてきたため、通信機器や家電電化製品、例えばノートパソコンや携帯電話、MP３などを持ち運ぶことが数多い。しかし、例えば、アメリカ、イギリス、オーストリヤ、ヨーロッパ等の諸国にて利用したいとする場合、その国の電気規格に相応しい電源アダプタが持っていないときは、その通信機器や電化製品を使えできなくなった問題が多発してしまった。
かかる利用できない問題を解消するため、従来は、諸国の差込みプラグ、電源コンセントの仕様規格に相応しく適用できる電源アダプタを提供していたが、このような電源アダプタはこれに伴って体積サイズがより大きくなったり、携帯に不便を招来したりする場合がある。
なお、現在の電源アダプタの入力部において差込プラグは、折りたたみ可能な仕組みにするが、それを取り出しを容易にするため、一部がコンセントから外部に露出するのが一般的である。
しかし、このような差込プラグを使用する際に、一部の露出により衝突変形を招来する他に、ひいて、コンセントの仕様サイズや差込み穴の間隔に合せるためには電源アダプタを解体することも必要になったり、操作上の不便や使用上の困難をユーザに引き起こったりすることが数多い。特に、電源アダプタは導電体であるため、一旦使用者がそれを誤動作すると、安全上の欠点や問題点を引き起こす恐れもある。
【０００３】
そのため、前記欠点や問題点を改善するにはどのようにすればいいかは、本願発明者が解決しようとする技術的な困難点の所存である。
【発明の概要】
【発明が解決しようとする課題】
【０００４】
そこで、前記問題を効果的に解決するため、本発明は、世界諸国の電源コンセント仕様規格にそれぞれ適合するように操作や変換の容易性、携帯便利性、及び安全性を向上するユニバーサルアダプタ構造を提供することを主な目的とする。
【課題を解決するための手段】
【０００５】
前記目的を達成するため、本発明は、前面カバーと、本体と、前記前面カバーに組み立てられるにより前記本体を覆う背面カバーとを含むユニバーサルアダプタ構造において、前記前面カバーには貫通する少なくとも１つの第１の貫通孔と少なくとも１つの第２の貫通孔とが形成されており、その上方側には押圧ユニットと第１の電気接続ユニットと第２の電気接続ユニットとが設けられており、側方には導電ユニットが設けられており、前記押圧ユニットと前記本体との間には少なくとも１つの弾性部材が設けられており、前記弾性部材は一端が前記本体に当接しており、他端が前記押圧ユニットに当接しており、前記押圧ユニットの前記第１の電気接続ユニットおよび前記第２の電気接続ユニットに対向する側には少なくとも１つの第１の支持部材および少なくとも１つの第２の支持部材が形成されており、前記第１の電気接続ユニットは前記第１の支持部材に設けられるとともに、第１のプッシュ部材と少なくとも1つの第１の差込端子と少なくとも1つの第１の導通片とを備えており、前記第２の電気接続ユニットは前記第２の支持部材に設けられるとともに、第２のプッシュ部材と少なくとも１つの第２の差込端子とを備えており、前記前面カバーの側方に設けられた本体と、前記前面カバーの側方に組み立てられ、前記前面カバーとともに前記本体を覆う背面カバーとを含むユニバーサルアダプタ構造を提供する。よって、前記押圧ユニットの押し付けによれば、前記第１の電気接続ユニット又は前記第２の電気接続ユニットを解放し、さらに、国別の仕様の違いに応じて前記第１の電気接続ユニット又は前記第２の電気接続ユニットを選択的に移動させ、前記第１の電気接続ユニット又は前記第２の電気接続ユニットの第１の差込端子又は第２の差込端子を前記前面カバーに貫通突出させ電気的に接続することで、世界諸国の電源コンセント仕様規格にそれぞれ適合することができると共に、操作や変換の容易性、携帯便利性、及び安全性を向上させる効果に達することができる。
【図面の簡単な説明】
【０００６】
【図１】本発明に係る好ましい実施例を模式的に示す組立斜視図である。
【図２】本発明に係る好ましい実施例を模式的に示す分解斜視図である。
【図３】本発明に係る好ましい実施例を模式的に示す別の角度での部分断面図である。
【図４】本発明に係る押圧ユニットによる押さえを模式的に示す図である。
【図５】本発明に係る第１の電気接続ユニットを模式的に示す図（一）である。
【図６】本発明に係る第１の電気接続ユニットを模式的に示す部分断面図（一）である。
【図７】本発明に係る第１の電気接続ユニットを模式的に示す別の角度での部分断面図である。
【図８】本発明に係る第１の電気接続ユニットを模式的に示す図（二）である。
【図９】本発明に係る第１の電気接続ユニットを模式的示す部分断面図（二）である。
【図１０】本発明に係る第２の電気接続ユニットを模式的に示す図（一）である。
【図１１】本発明に係る第２の電気接続ユニットを模式的に示す部分断面図（一）である。
【図１２】本発明に係る第２の電気接続ユニットを模式的に示す別の角度での部分断面図（一）である。
【図１３】本発明に係る第２の電気接続ユニットを模式的に示す図（二）である。
【図１４】本発明に係る第２の電気接続ユニットを模式的に示す部分断面図（二）である。
【図１５】本発明に係る第２の電気接続ユニットを模式的に示す図（三）である。
【図１６】本発明に係る第２の電気接続ユニットを模式的に示す部分断面図（三）である。
【発明を実施するための形態】
【０００７】
図１〜図３は、本発明に係る好ましい実施例を模式的に示す組立斜視図、分解斜視図、及び別の角度での部分断面図である。図面から明らかのように、前記ユニバーサルアダプタ構造１は、前面カバー２と、本体３と、背面カバー４とを含んでいる。前面カバー２には少なくとも１つの第１の貫通孔２１および少なくとも１つの第２の貫通孔２２が形成されている。第１の貫通孔２１および第２の貫通孔２２は、前記前面カバー２を貫通する。また、前面カバー２は、その側面に第１の案内溝２３と第２の案内溝２４と浅いピット２５とがそれぞれ形成されている。第１の案内溝２３と第２の案内溝２４とは前面カバー２の上面および側面にそれぞれ形成しており、浅いピット２５は前面カバー２の側面に形成されており、その浅いピット２５の上方に第１の補助差込部材２５１が設けられている。
【０００８】
また、本体３は、前記前面カバー２の浅いピット２５に対向する他の側方に設けられる。本体３の上方には押圧ユニット３１と第１の電気接続ユニット３２と第２の電気接続ユニット３３とが設けられ、さらに、側方に導電ユニット３４が設けられ、本体３の側方および底部に、少なくとも１つのサイドストッパ３５及び少なくとも１つの電気継手３６が設けられる。押圧ユニット３１と本体３との間には、少なくとも１つの弾性部材３１１が配置されている。弾性部材３１１は、一端が前記本体３に当接するとともに、他端が前記押圧ユニット３１に当接している。
【０００９】
さらに、押圧ユニット３１の側方には、少なくとも１つの第１の支持部材３１２および少なくとも１つの第２の支持部材３１５を備えている。第１の支持部材３１２は、第１の前部案内溝３１３および第１の後部案内溝３１４を有している。第２の支持部材３１５は、第２の前部案内溝３１６および第２の後部案内溝３１７を有している。
【００１０】
また、ここで、第１の電気接続ユニット３２は、前記第１の支持部材３１２に設けられると共に、第１のプッシュ部材３２１と少なくとも１つの第１の差込端子３２２と少なくとも１つの第１の導通片３２３とを備えている。第１のプッシュ部材３２１は、第１の案内溝２３上に対向して設けられている。さらに第１の電気接続ユニット３２の下側の箇所には、少なくとも１つの第１の当接部３２４が設けられている。第１の当接部３２４は、第１の前部案内溝３１３内に設けられている。
【００１１】
さらに、第２の電気接続ユニット３３は、第２の支持部材３１５に設けられていると共に、第２のプッシュ部材３３１と少なくとも１つの第２の差込端子３３２とを備えている。第２のプッシュ部材３３１は、前記第２の案内溝２４の上方に対向して設けられている。さらに第２の電気接続ユニット３３の下側の箇所に第２の当接部３３４が設けられている。第２の当接部３３４は、第２の前部案内溝３１６内に設けられている。さらに、第２の電気接続ユニット３３には少なくとも１つの第２の補助差込部材３３５が設けられている。また、第２の差込端子３３２のそれぞれには、その内部に収蔵されるか若しくは外部に向け延伸して取り出されるように配置されている延在差込端子３３３を備えている。
【００１２】
また、導電ユニット３４には少なくとも１つの導通片受け３４１が設けられている。導電ユニット３４は電気継手３６に電気的に接続されている。
【００１３】
さらに、背面カバー４には、前記電気継手３６を連通するための少なくとも１つの継手貫通孔４１が設けられている。背面カバー４は、前面カバー２の側方に組み立てられて前面カバー２と共に本体３を覆うように構成されている。
【００１４】
また、図４〜７を参照する。それらは、本発明に係る押圧ユニットによる押さえを模式的に示す図、第１の電気接続ユニットを模式的に示す図（一）、部分断面図（一）、及び、別の角度での部分断面図である。ここで、ユニバーサルアダプタ構造１は、異なる国での異なる仕様に応じて操作や変換をすることができる。
ユニバーサルアダプタ構造１がアメリカの電源コンセント仕様規格に合せて使用されたい場合、まず押圧ユニット３１が弾性部材３１１を押し付けるように前記押圧ユニット３１を押すと、第１の電気接続ユニット３２の第１の当接部３２４が第１の前部案内溝３１３から外れ、第１のプッシュ部材３２１を第１の案内溝２３へ移動させる。この移動に伴って、第１の電気接続ユニット３２を本体３に移動させるように第１のプッシュ部材３２１を押すことができる。
また、第１の差込端子３２２は、第１の貫通孔２１を挿通することが可能である。第一導通片３２３は前記導通片受け３４１に係合して電気的に接続されると同時に、第１の当接部３２４は第１の後部案内溝３１４内に移動し、前記押圧ユニット３１を解放させる。そして、押圧ユニット３１を元の位置に復帰するように弾性部材３１１の付勢力に押し付けられ、第１の後部案内溝３１４に第１の当接部３２４が位置規制される。第１の差込端子３２２を前面カバー２から固定的に突出させると、ユニバーサルアダプタ構造１をアメリカの電源コンセント仕様規格に利用することができ、ユーザは、背面カバー４の電気継手３６を介して電気的に接続する目的を果たすことができる。
なお、この実施形態において、第１の電気接続ユニット３２を本体３に移動させた場合、第２の電気接続ユニット３３は、そのサイドストッパ３５に規制されるため、移動されることができなくなる。
【００１５】
また、図４〜図７を見ながら図８及び図９を参照する。それらは、本発明に係る第１の電気接続ユニットを模式的に示す図（二）、及び部分断面図である。第１の差込端子３２２は前面カバー２から固定的に突出する状態で、第１の差込端子３２２をそれぞれ内側に回動させられることができる。このように回動きをすると、その二つの第１の差込端子３２２を「八」の形状にするように傾けることが可能である。そして、二つの第１の差込端子３２２の傾斜により、ユニバーサルアダプタ構造１は、オーストラリアの電源コンセント仕様規格に合せて適用することが可能になる。
【００１６】
また、第４および図１０〜図１４を参照する。それらは、本発明に係る押圧ユニットによる押さえを模式的に示す図、第２の電気接続ユニットの模式的な図（一）、及び、別の角度での部分断面図（一）である。ここで、ユニバーサルアダプタ構造１は、諸国の電源コンセント仕様規格に応じて操作や変換することができる。
ユニバーサルアダプタ構造１がスイスでの電源コンセント仕様規格に合せて使用されたい場合、まず押圧ユニット３１が弾性部材３１１を押し付けるように前記押圧ユニット３１を押すと、第２の電気接続ユニット３３の第２の当接部３３４が第２の前部案内溝３１６から外れ、第２のプッシュ部材３３１を第２の案内溝２４へ移動させる。この移動に伴って第２の電気接続ユニット３３を本体３に移動させるように第２のプッシュ部材３３１を押すことができる。
また、第２の差込端子３３２は、第２の貫通孔２２を挿通することができる。第２の当接部３３４は、第２の後部案内溝３１７内に移動し、前記押圧ユニット３１を解放させる。そして、押圧ユニット３１を元の位置に復帰するように弾性部材３１１の付勢力に押し付けられ、第２の後部案内溝３１７に第２の当接部３３４が位置規制され、第２の差込端子３３２を前面カバー２から固定的に突出させせると、ユニバーサルアダプタ構造１をスイスの電源コンセント仕様規格に合せて利用することができる上に、ユーザは、背面カバー４の電気継手３６を介して電気的に接続する目的を果たすことができる。なお、本実施例では、第１の電気接続ユニット３２を本体に移動させた後、第２の電気接続ユニット３３がそのサイドストッパ３５に規制されて移動することができなくなる。
【００１７】
また、第４及び図１０〜図１２を見ながら、図１３及び図１４を参照する。それらは、本発明に係る第２の電気接続ユニットの模式的な図（二）、及び、部分断面図（二）である。先ず、第２の差込端子３３２前面カバー２から固定的に突出する状態で、その先端を、第２の補助差込部材３３５を水平にするように、第２の差込端子３３２の一側の縁にまで取り出した。そして、第２の差込端子３３２と第２の補助差込部材３３５とが前面カバー２から固定的に突出する状態で、浅いピット２５内に設けられた第１の補助差込部材２５１の先端を、その第１の補助差込部材２５１を水平にすると共に、前面カバー２に突出するように取出せれば、ユニバーサルアダプタ構造１をオーストラリアでの電源コンセント仕様規格に合せて適用することができる。
【００１８】
また、図１５および図１６を参照する。それらは、本発明に係る第２の電気接続ユニットを模式的に示す図（三）、および部分断面図（三）である。ここで、ユニバーサルアダプタ構造１は、諸国の電源コンセント仕様規格に応じて操作や変換することができる。
ユニバーサルアダプタ構造１がドイツでの電源コンセント仕様規格に合せて使用されたい場合、まず第２の差込端子３３２を前面カバー２から固定的に突出させ、そして中継コネクタ５で組み立て接続する。中継コネクタ５には、少なくとも一つの中継貫通孔５１を有している。第２の差込端子３３２は前記中継貫通孔５１内に設けられている。延在差込端子３３３は、中継貫通孔５１を挿通して前記中継貫通孔５１から突出すれば、ユニバーサルアダプタ構造１をドイツの電源コンセント仕様規格に合せて利用することができる。
したがって、ユニバーサルアダプタ構造１は、その押圧ユニット３１の押しにより、さらに第１の電気接続ユニット３２又は第２の電気接続ユニット３３を前、後に移動させるように制御し、第１の差込端子３２２または第２の差込端子３３２を突出させ電気接続することで、世界諸国の電源コンセント仕様規格にそれぞれ適合するように操作や変換しやすくなり、しかも携帯便利性や安全性を向上する効果を奏する。
【００１９】
なお、以上のような説明は、本発明の好ましい実施例にすぎず、本発明を限定するものではない。本発明の主旨を逸脱しない限り、本発明の構想に対する変更、例えば、形状または配置への変換などの様々な変化、修飾応用及びそれにより発生した等価の効果は、すべて本願の主張範囲内に納入されるべきである。
【符号の説明】
【００２０】
１            ユニバーサルアダプタ構造
２            前面カバー
２１          第１の貫通孔 
２２          第２の貫通孔
２３          第１の案内溝
２４          第２の案内溝
２５          浅いピット 
２５１        第１の補助差込部材
３            本体
３１          押圧ユニット
３１１        弾性部材
３１２        第１の支持部材 
３１３        第１の前部案内溝
３１４        第１の後部案内溝
３１５        第２の支持部材
３１６        第２の前部案内溝
３１７        第２の後部案内溝
３２          第１の電気接続ユニット
３２１        第１のプッシュ部材
３２２        第１の差込端子
３２３        第１の導通片
３２４        第１の当接部
３３          第２の電気接続ユニット
３３１        第２のプッシュ部材
３３２        第２の差込端子 
３３３        延在差込端子
３３４        第２の当接部
３３５        第２の補助差込部材
３４          導電ユニット
３４１        導通片受け
３５          サイドストッパ
３６          電気継手
４            背面カバー
４１          継手貫通孔
５            中継コネクタ
５１          中継貫通孔